(57)【要約】【課題】実装面積が少なくてもコネクタ端子を単独で自立させてハンダ付け作業ができる新規な電動駆動装置を提供することにある。【解決手段】コネクタ端子２８を、配線端子と接続されるコネクタ接続片２８Ｃと、このコネクタ接続片２８Ｃと釣り合いを保ちコネクタ端子２８を自立させる折り返し部２８Ｂ-１、２８Ｂ-２を有するコネクタ釣り合い片２８と、コネクタ接続片２８Ｃとコネクタ釣り合い片２８Ｂの間を結ぶコネクタ接着片２８Ａから構成し、コネクタ接着片２８を基板１８に塗布されたペースト状のハンダに載置してコネクタ端子２８を基板１８に接着、固定する。【選択図】図１１
2018061366.tif 000002
【特許請求の範囲】
【請求項１】
機械系制御要素を駆動する電動モータと、前記電動モータの出力軸とは反対側に配置され前記電動モータを制御する電子制御装置とにより構成され、前記電子制御装置は、前記電動モータが収容されたモータハウジングに結合されたＥＣＵハウジングと、前記ＥＣＵハウジングの内部に収容され前記電動モータを駆動制御するための電子制御組立体を備えている電動駆動装置において、
前記電子制御組立体が、電源の生成を主たる機能とする金属基板に実装された電源回路部と、前記電動モータの駆動を主たる機能とする金属基板に実装された電力変換回路部と、前記電力変換回路部の制御を主たる機能とする樹脂基板に実装された制御回路部とに分割されていると共に、
前記電源回路部と前記電力変換回路部を接続する配線部の配線端子と接続される少なくとも１個のコネクタ端子が、前記配線端子と接続されるコネクタ接続片と、前記コネクタ接続片と釣り合いを保つように対面し、前記コネクタ端子を自立させる折り返し部を有するコネクタ釣り合い片と、前記コネクタ接続片と前記コネクタ釣り合い片の間を結ぶコネクタ接着片から構成され、
前記コネクタ接着片が前記金属基板に塗布されたハンダに載置され、前記ハンダを融かして前記コネクタ端子が前記金属基板に接着、固定されていることを特徴とする電動駆動装置。
【請求項２】
請求項１に記載の電動駆動装置において、
前記コネクタ端子の断面は、前記コネクタ接続片と、前記コネクタ接着片と、前記コネクタ釣り合い片によって、略「Ｕ」字状に形成されていることを特徴とする電動駆動装置。
【請求項３】
請求項１に記載の電動駆動装置において、
前記コネクタ端子には、前記コネクタ接続片と前記コネクタ接着片の間に応力を緩和するコネクタ離間片が形成されていることを特徴とする電動駆動装置。
【請求項４】
請求項１に記載の電動駆動装置において、
前記コネクタ釣り合い片の前記折り返し部は、１回折曲げによって形成された前記折り返し部であることを特徴とする電動駆動装置。
【請求項５】
機械系制御要素を駆動する電動モータと、前記電動モータの出力軸とは反対側に配置され前記電動モータを制御する電子制御装置とから構成され、
前記電子制御装置は、
前記電動モータが収容されたモータハウジングに結合されたＥＣＵハウジングと、前記ＥＣＵハウジングの内部に収容され前記電動モータを駆動制御するための電子制御組立体とから構成され、
前記電子制御組立体が、少なくとも、電源の生成を主たる機能とする電源側基板上に実装された電源回路部と、前記電動モータの駆動を主たる機能とするインバータ側基板上に実装された電力変換回路部とから構成されていると共に、
前記電源回路部と前記電力変換回路部を接続する配線部の配線端子と接続される少なくとも前記インバータ側基板のコネクタ端子が、
前記インバータ側基板の端面を超えて前記配線端子と接合されるコネクタ接合片と、前記コネクタ接続片と釣り合いを保つように対面し、前記コネクタ端子を自立させる折り返し部を有するコネクタ釣り合い片と、前記コネクタ釣り合い片から連続して形成され、前記インバータ側基板上の配線パターンに接続されるコネクタ接着片と、前記コネクタ接着片から連続して形成され、前記インバータ側基板上のレジスト膜から離間するように前記インバータ側基板の前記端面を超えて前記コネクタ接合片に続くコネクタ離間片から構成され、
前記コネクタ接着片が前記インバータ側基板の配線パターンに塗布されたハンダに載置されて前記ハンダを融かした状態で、前記コネクタ接着片が前記配線パターンに接着、固定されていることを特徴とする電動駆動装置。
【請求項６】
請求項５に記載の電動駆動装置において、
前記コネクタ離間片は、前記コネクタ接着片から前記コネクタ接合片に向けて前記レジスト膜から徐々に離れる方向に傾斜する形状に形成されていることを特徴とする電動駆動装置。
【請求項７】
請求項６に記載の電動駆動装置において、
前記インバータ側基板の前記コネクタ端子の断面は、前記コネクタ接合片と、前記コネクタ離間片と、前記コネクタ接着片と、前記コネクタ釣り合い片によって、略「Ｕ」字状に形成されていることを特徴とする電動駆動装置。
【請求項８】
請求項５に記載の電動駆動装置において、
前記電源回路部側の前記配線端子、及びコネクタ接合片は平板状に形成されて先端側で溶接されており、溶接された部分より前記金属基板側の前記配線端子、及びコネクタ接合片に、溶融金属の流れを堰き止める突出部が形成されていることを特徴とする電動駆動装置。
【請求項９】
請求項５に記載の電動駆動装置において、
前記コネクタ接合片は平板状に形成されており、前記コネクタ接合片の両側面に、変形し易くするための内側に凹んだ後退部が形成されていることを特徴とする電動駆動装置。
【請求項１０】
請求項５に記載の電動駆動装置において、
前記コネクタ接着片には、ハンダの状態を観察するための突出部が形成されていることを特徴とする電動駆動装置。
【発明の詳細な説明】
【技術分野】
【０００１】
本発明は電動駆動装置に係り、特に電子制御装置を内蔵した電動駆動装置に関するものである。
【背景技術】
【０００２】
一般的な産業機械分野においては、電動モータによって機械系制御要素を駆動することが行われているが、最近では電動モータの回転速度や回転トルクを制御する半導体素子等からなる電子制御装置を電動モータに一体的に組み込む、いわゆる機電一体型の電動駆動装置が採用され始めている。
【０００３】
機電一体型の電動駆動装置の例として、例えば自動車の電動パワーステアリング装置においては、運転者がステアリングホィールを操作することにより回動するステアリングシャフトの回動方向と回動トルクとを検出し、この検出値に基づいてステアリングシャフトの回動方向と同じ方向へ回動するように電動モータを駆動し、操舵アシストトルクを発生させるように構成されている。この電動モータを制御するため、電子制御装置（ＥＣＵ：Ｅｌｅｃｔｒｏｎｉｃ  Ｃｏｎｔｒｏｌ  Ｕｎｉｔ）がパワーステアリング装置に設けられている。
【０００４】
従来の電動パワーステアリング装置としては、例えば、特開２０１５−１３４５９８号公報（特許文献１）に記載のものが知られている。特許文献１には、電動モータと電子制御装置とにより構成された電動パワーステアリング装置が記載されている。そして、電動モータは、アルミ合金等から作られた筒部を有するモータハウジングに収納され、電子制御装置は、モータハウジングの軸方向の出力軸とは反対側に配置されたＥＣＵハウジングに収納されている。ＥＣＵハウジングの内部に収納される電子制御装置は、電源回路部と、電動モータを駆動制御するＭＯＳＦＥＴのようなパワースイッチング素子を有する電力変換回路部と、パワースイッチング素子を制御する制御回路部とを備え、パワースイッチング素子の出力端子と電動モータの入力端子とはバスバーを介して電気的に接続されている。
【０００５】
そして、ＥＣＵハウジングに収納された電子制御装置には、合成樹脂から作られたコネクタ端子組立体を介して電源から電力が供給され、また検出センサ類から運転状態等の検出信号が供給されている。コネクタ端子組立体は蓋体として機能しており、ＥＣＵハウジングに形成された開口部を塞ぐようにして電子制御装置と接続され、また固定ボルトによってＥＣＵハウジングの外表面に固定されている。
【０００６】
尚、この他に電子制御装置を一体化した電動駆動装置としては、電動ブレーキや各種油圧制御用の電動油圧制御器等が知られている。
【先行技術文献】
【特許文献】
【０００７】
【特許文献１】特開２０１５−１３４５９８号公報
【発明の概要】
【発明が解決しようとする課題】
【０００８】
特許文献１に記載されている電動パワーステアリング装置は自動車のエンジンルーム内に配置されることから、小型に構成されることが必要である。特に最近では自動車のエンジンルーム内は、排気ガス対策機器や安全対策機器等の補機類が多く設置される傾向にあり、電動パワーステアリング装置を含めて各種補機類はできるだけ小型化することや部品点数を低減することが求められている。
【０００９】
例えば、電動パワーステアリング装置はその構造上から長手方向には軸長の制限は比較的少なく、半径方向の大型化が制限される傾向にある。したがって、ハウジングを半径方向へ小型化することが要請されているのが現状である。半径方向に小型化するために電源回路部、電力変換回路部、及び制御回路部を個別に３分割する構成が有効である。これによれば、電動モータを制御するための必要な電気部品を３分割するため、半径方向に小型化できるようになるものである。
【００１０】
ところで、本発明が対象とする電動駆動装置においては、電源回路部から電力変換回路部に電力を供給するための接続部は、電源回路部に設けられた高圧側コネクタ端子から延びた配線端子を電力変換回路部に設けたインバータ側コネクタ端子に重ね合わせ、重ね合わせた部分の先端をＴＩＧ溶接して接続する構成となっている。ここで、インバータ側コネクタ端子は、細長い金属板を折り曲げて作られているものである。
【００１１】
そして、配線端子とインバータ側コネクタ端子が重ね合せて接合されるため、インバータ側コネクタ端子は、基板とのハンダ接着面を配線端子とは反対側に長く延ばすことが必要となり、略「Ｌ」字状のコネクタ端子形状とされていた。尚、以下では単に「Ｌ」字状と表記する。
【００１２】
そして、このコネクタ端子は基板上に載置されてハンダによって基板に接着、固定されている。このコネクタ端子のハンダ付けは、一般的に「リフロープロセス」によって行われている。「リフロープロセス」は、予め配線基板にクリームハンダと呼ばれるペースト状のハンダを配線パターンに合わせて塗布し、そこにコネクタ端子の接着面を載置して配線基板へ直接的に熱を加え、ハンダを溶かすことでハンダ付けを行う方法である。
【００１３】
上述したように、本発明が対象とする電動駆動装置においては、基板の面積を小さくして半径方向に小型化できるようにすることが要請されており、コネクタ端子の実装面積もできる限り低減する必要がある。このため、「Ｌ」字状のコネクタ端子の接着面も短くなる傾向にある。
【００１４】
そして、「Ｌ」字状のコネクタ端子を使用する場合は、載置した状態で接着面が短いため、コネクタ端子の載置安定性が悪いものである。このため、ペースト状のハンダの粘着力だけでは自立させることが難しく、更にはハンダ付け行程でハンダが融けると、「Ｌ」字状のコネクタ端子が倒れる現象がある。このため、「Ｌ」字状のコネクタ端子の基板と接触する接着片を長くすれば、コネクタ端子が倒れる現象を少なくすることができる。しかしながら、接着片が長くなることから小型化が図れなくなるので、実際には短い接着片に形成して特別な雇を用いてコネクタ端子を自立させるようにしており、生産性の向上が図れないという課題があった。
【００１５】
本発明の目的は、実装面積が少なくてもコネクタ端子を単独で自立させてハンダ付け作業ができる新規な電動駆動装置を提供することにある。
【課題を解決するための手段】
【００１６】
本発明の特徴は、コネクタ端子を、配線端子と接続されるコネクタ接続片と、このコネクタ接続片と対面し、コネクタ接続片と釣り合いを保ちコネクタ端子を自立させる折り返し部を有するコネクタ釣り合い片と、コネクタ接続片とコネクタ釣り合い片の間を結ぶコネクタ接着片から構成し、コネクタ接着片を基板に塗布されたペースト状のハンダに載置してコネクタ端子を基板に接着、固定する、ところにある。
【発明の効果】
【００１７】
本発明によれば、コネクタ釣り合い片に折り返し部を形成することで重量を重くしてコネクタ接続片との釣り合いを保つことができるので、コネクタ接着片を短くでき、これによって、実装面積が少なくてもコネクタ端子を自立させることが可能となる。このため、雇等の特別な治具を用いなくてもハンダ付けができるので生産性を高めることができるようになる。
【図面の簡単な説明】
【００１８】
【図１】本発明が適用される一例としての操舵装置の全体斜視図である。
【図２】機電一体型の電動駆動装置としての電動パワーステアリング装置の全体斜視図である。
【図３】電動パワーステアリング装置の分解斜視図である。
【図４】図３に示す電源回路部の斜視図である。
【図５】図３に示す電力変換回路部の斜視図である。
【図６】図３に示す制御回路部の斜視図である。
【図７】図３に示す蓋体の斜視図である。
【図８】図３に示すＡ−Ａ面の方向から蓋体側を見た平面図である。
【図９】図８のＢ−Ｂ面から見た断面図である。（電動モータ部分は省略している。）
【図１０】本発明の一実施形態になる電力変換回路部のインバータ側コネクタ端子と電源回路部の電源側配線端子の接合領域を示す部分拡大斜視図である。
【図１１】図１０の接合領域の断面図である。
【図１２】図１０に示すインバータ側コネクタ端子の側面図である。
【図１３】図１３に示すインバータ側コネクタ端子の外観斜視図である。
【図１４】本発明の他の実施啓太になる電力変換回路部のインバータ側コネクタ端子と電源回路部の電源側配線端子の接合領域を示す部分拡大斜視図である。
【図１５】図１４の接合領域の断面図である。
【発明を実施するための形態】
【００１９】
以下、本発明の実施形態について図面を用いて詳細に説明するが、本発明は以下の実施形態に限定されることなく、本発明の技術的な概念の中で種々の変形例や応用例をもその範囲に含むものである。
【００２０】
本発明の実施形態を説明する前に本発明が適用される一例としての操舵装置の構成、及び機電一体型の電動駆動装置としての電動パワーステアリング装置の構成について図１、図２を用いて簡単に説明する。
【００２１】
まず、自動車の前輪を操舵するための操舵装置について説明する。操舵装置１は図１に示すように構成されている。図示しないステアリングホイールに連結されたステアリングシャフト２の下端には図示しないピニオンが設けられ、このピニオンは車体左右方向へ長い図示しないラックと噛み合っている。このラックの両端には前輪を左右方向へ操舵するためのタイロッド３が連結されており、ラックはラックハウジング４に覆われている。そして、ラックハウジング４とタイロッド３との間にはゴムブーツ５が設けられている。
【００２２】
ステアリングホイールを回動操作する際のトルクを補助するため、電動パワーステアリング装置６が設けられている。即ち、ステアリングシャフト２の回動方向と回動トルクとを検出するトルクセンサ７が設けられ、トルクセンサ７の検出値に基づいてラックにギヤ１０を介して操舵補助力を付与する電動モータ部８と、電動モータ部８に配置された電動モータを制御する電子制御装置（ＥＣＵ）部９とが設けられている。電動パワーステアリング装置６の電動モータ部８は、出力軸側の外周部の３箇所が図示しないボルトを介してギヤ１０に接続され、電動モータ８部の出力軸とは反対側に電子制御装置部９が設けられている。
【００２３】
図２に示すように、電動モータ部８はアルミニウム合金等から作られた筒部を有するモータハウジング１１Ａ及びこれに収納された図示しない電動モータとから構成され、電子制御装置部９は、モータハウジング１１Ａの軸方向の出力軸とは反対側に配置された、アルミニウム合金等で作られたＥＣＵハウジング１１Ｂ及びこれに収納された図示しない電子制御組立体から構成されている。
【００２４】
モータハウジング１１ＡとＥＣＵハウジング１１Ｂはその対向端面で固定ボルトによって一体的に固定されている。ＥＣＵハウジング１１Ｂの内部に収納された電子制御組立体は、必要な電源を生成する電源回路部や、電動モータ部８の電動モータを駆動制御するＭＯＳＦＥＴからなるパワースイッチング素子を有する電力変換回路部や、このパワースイッチング素子を制御する制御回路部からなり、パワースイッチング素子の出力端子と電動モータの入力端子とはバスバーを介して電気的に接続されている。ここで、電源回路部、電力変換回路部、及び制御回路部は、夫々異なった３枚の基板に分割して設けられている。
【００２５】
ＥＣＵハウジング１１Ｂの端面にはコネクタ端子組立体を兼用する合成樹脂製の蓋体１２が固定ボルト１３（図３参照）によって固定されている。蓋体１２には電力供給用のコネクタ端子形成部１２Ａ、検出センサ用のコネクタ端子形成部１２Ｂ、制御状態を外部機器に送出する制御状態送出用のコネクタ端子形成部１２Ｃを備えている。そして、ＥＣＵハウジング１１Ｂに収納された電子制御組立体は、合成樹脂から作られた蓋体１２の電力供給用のコネクタ端子形成部１２Ａを介して電源から電力が供給され、また検出センサ類から運転状態等の検出信号が検出センサ用のコネクタ形成端子部１２Ｂを介して供給され、現在の電動パワーステアリング装置の制御状態信号が制御状態送出用のコネクタ端子形成部１２Ｃを介して送出されている。
【００２６】
以上のような構成の電動パワーステアリング装置６においては、ステアリングホイールが操作されることによりステアリングシャフト２がいずれかの方向へ回動操作されると、このステアリングシャフト２の回動方向と回動トルクとをトルクセンサ７が検出し、この検出値に基づいて制御回路部が電動モータの駆動操作量を演算する。この演算した駆動操作量に基づいて電力変換回路部のパワースイッチング素子により電動モータが駆動され、電動モータの出力軸はステアリングシャフト２を操作方向と同じ方向へ駆動するように回動される。出力軸の回動は、図示しないピニオンからギヤ１０を介して図示しないラックへ伝達され、自動車が操舵されるものである。これらの構成、動作は既によく知られているので、これ以上の説明は省略する。
【００２７】
そして、小型化の要求を満足するためには電源回路部や電力変換回路部を高密度実装することが有効である。このためにはコネクタ端子の実装面積も低減する必要がある。しかしながら、「Ｌ」字状のコネクタ端子を使用すると、載置した状態で載置安定性が悪いので、「リフロープロセス」でハンダ付けする場合は、ペースト状のハンダの粘着力だけでは自立させることは難しく、更にはハンダ付け行程でハンダが融けると、「Ｌ」字状のコネクタ端子が倒れる現象がある。このため、特別な雇を用いてコネクタ端子を自立させることが必要となり、生産性の向上が図れないという課題を生じる。
【実施例１】
【００２８】
このような背景から、本実施形態では次のような構成の電動駆動装置（電動パワーステアリング装置）を提案するものである。
【００２９】
つまり、本実施形態においては、コネクタ端子を、配線端子と接続されるコネクタ接続片と、このコネクタ接続片と対面し、コネクタ接続片と釣り合いを保ちコネクタ端子を自立させる折り返し部を有するコネクタ釣り合い片と、コネクタ接続片とコネクタ釣り合い片の間を結ぶコネクタ接着片から構成し、コネクタ接着片を基板に塗布されたペースト状のハンダに載置してコネクタ端子を基板に接着、固定する構成とした。
【００３０】
これによれば、コネクタ釣り合い片に折り返し部を形成することで重量を重くしてコネクタ接続片との釣り合いを保つことができるので、コネクタ接着片を短くできる。これによって、実装面積が少なくてもコネクタ端子を自立させることができ、雇等の特別な治具を用いなくてもハンダ付けができるので生産性を高めることができるようになる。
【００３１】
以下、本発明の一実施形態になる電動パワーステアリング装置の構成について説明するが、以下の図面では図２に示す蓋体１２の形状が相違する。しかしながら、その機能は同一である。
【００３２】
図３に電動パワーステアリング装置６の分解斜視図を示している。尚、モータハウジング１１Ａには通常は電動モータが収納されているものである。そして、上述したようにモータハウジング１１ＡとＥＣＵハウジング１１Ｂは別体のアルミニウム合金から作られているが、両ハウジングは同一のハウジングとしても良いものである。
【００３３】
電子制御装置部９は、モータハウジング１１Ａ内の電動モータの図示しない出力軸と反対側に結合されたＥＣＵハウジング１１Ｂと、ＥＣＵハウジング１１Ｂに３本の固定ボルト１３によって結合された蓋体１２とから構成されている。蓋体１２は後述するように、コネクタ端子組立体を兼用するものであり、合成樹脂から射出成型によって形成されている。尚、この蓋体１２には後述するように各種のコネクタ配線部が同時にインサートモールドによって埋設されている。
【００３４】
ＥＣＵハウジング１１Ｂ及び蓋体１２とから構成される収容空間には、電源回路部１４が設けられ、ＥＣＵハウジング１１Ｂとモータハウジング１１Ａの収納空間には電力変換回路部１５、制御回路部１６が配置されている。電源回路部１４、電力変換回路部１５、制御回路部１６は電子制御組立体を構成するものである。
【００３５】
ＥＣＵハウジング１１Ｂの内部にはアルミニウム、或いはアルミニウム合金等の金属から作られた放熱基体４６が配置されている。この放熱基体４６はＥＣＵハウジング１１Ｂと一体的に形成されている。また、この放熱基体４６の両面には片面実装によって電源回路部１４及び電力変換回路部１５を構成する電気部品が載置された金属基板１７、１８が固定されている。
【００３６】
上述した通り、金属基板１７と金属基板１８の間には所定の厚さを備えるアルミニウムやアルミニウム合金からなる放熱基体４６が配置されており、この放熱基体４６は後述するように放熱部材として機能するもので、ＥＣＵハウジング１１Ｂと一体的に形成され、ＥＣＵハウジング１１Ｂから外気に放熱できるように構成されている。ここで、金属基板１７、１８と放熱基体４６は、熱的な接触を高めるため熱伝導性の良い放熱接着剤、放熱シート、放熱グリース等の放熱機能材が金属基板１７、１８と放熱基体４６の間に介装されている。
【００３７】
蓋体１２と放熱基体４６の間には、電動モータを駆動するインバータ装置に使用される高圧直流電源と、マイクロコンピュータ等の制御回路に使用される低圧直流電源の生成を主たる機能とする電源回路部１４が配置されている。
【００３８】
この電源回路部１４は図４に示すように、アルミニウム等の熱伝導性の良い金属からなる金属基板１７の片面上に、コンデンサ１９、コイル２０、ＭＯＳＦＥＴよりなるスイッチング素子２１、バッテリからの電源側配線端子が接続される電源側コネクタ端子２２、電力変換回路部１５に高圧電源を供給する高圧側配線端子が接続される高圧側コネクタ端子２３、制御回路部１６に低圧電源を供給する低圧配線端子が接続される低圧側コネクタ端子２４等の電気部品が実装されている。
【００３９】
金属基板１７は、アルミニウム基板の上に絶縁層を形成し、この絶縁層の上に銅箔からなる配線パターンを印刷して構成されており、この上に電気部品が載置されて夫々の電気部品が電気的に接続されるものである。電源回路部１４は、コンデンサ１９やコイル２０、コネクタ端子２２〜２４等の比較的形状が大きい（＝背が高い）電気部品が使用されている。
【００４０】
コネクタ端子２２、２３はプレスフィット型のコネクタであり、内側に向けて弾発性を備えており、このコネクタ端子２２、２３に配線端子を挿入するだけで、ハンダを用いずに簡単に相互の接続を確保できる。図４にある通り、コネクタ端子２２、２３は一枚の細長い金属板の両端を内側に折り込み、更にこの折り込んだ領域を２回折り込んで双方の端面が対向するようにして形成されている。
【００４１】
ここで、電源回路部１４は比較的実装面積に余裕があり、コネクタ端子２２、２３の実装面積も十分取れるのでプレスフィット型のコネクタを使用することができる。このプレスフィット型コネクタは接着面が広く載置安定性が良いので、「リフロープロセス」のハンダ付けにおいても倒れの恐れが無いものである。
【００４２】
また、プレスフィット型のコネクタは対向する端面２２Ａ、２３Ａは弾性を備えており、この端面に押し込まれた配線端子は強く接触して、配線端子から与えられた押し込み力がコネクタ端子２２、２３を介して金属基板１７に伝えられえるものである。本実施形態では、金属基板１７は固定ねじによって放熱基体４６に固定されておらず、コネクタ端子２２、２３に挿入された配線端子から付与される押し込み力によって金属基板１７と放熱基体４６が固定される構成になっている。
【００４３】
そして、放熱基体４６の電源回路部１４が位置する側と反対側には、電動モータの駆動を主たる機能とするインバータ制御を実行する電力変換回路部１５が配置されている。この電力変換回路部１５は放熱基体４６を境にして電源回路部１４の金属基板１７に対向するように、電力変換回路部１５の金属基板１８を配置している。
【００４４】
この電力変換回路部１５の金属基板１８と電源回路部１４の金属基板１７との対向面は、実質的に同じ形状をしており、放熱基体４６に熱が相互に伝わりやすいものとなっている。更に、金属基板１７、１８と放熱基体４６の間には熱伝導性の良い放熱接着剤、放熱シート、放熱グリース等の放熱機能材が介装されている。
【００４５】
電力変換回路部１５は図５に示すように、アルミニウム等の熱伝導性の良い金属からなる金属基板１８上に、複数のＭＯＳＦＥＴからなるパワースイッチング素子２５、及びこれの出力用の出力コネクタ端子２６Ｕ、２６Ｖ、２６Ｗ、及びスイッチング素子２５を制御するゲート、ドレイン、ソース等の入力信号の入力やスイッチング素子２５の動作状況を制御回路部１６にフィードバックするための信号コネクタ端子２７Ａ〜２７Ｄ等が実装されている。また、電源回路部１４から電力の供給を受けるインバータ側コネクタ端子２８も設けられている。更に、スイッチング素子２５は、電動モータを制御する６個のスイッチング素子２５以外にフェールセーフ用の３個のスイッチング素子２５も備えられている。
【００４６】
尚、出力用コネクタ端子２６Ｕ、２６Ｖ、２６Ｗはプレスフィット型のコネクタであり、内側に向けて弾発性を備えており、この出力用コネクタ端子２６Ｕ、２６Ｖ、２６Ｗに電動モータに接続されたバスバーのコネクタ端子を挿入するだけで、ハンダを用いずに簡単に相互の接続を確保できる。
【００４７】
一方、インバータ側コネクタ端子２８付近は充分な実装面積が確保できなく、しかも、インバータ側コネクタ端子２８は配線端子と重ね合せて接合されるため、従来では「Ｌ」字状のコネクタ端子を使用していた。尚、本実施形態になる電力変換回路部については、後述の図１０〜図１３を用いて詳細に説明する。
【００４８】
金属基板１８は、アルミニウム基板の上に絶縁層を形成し、この絶縁層の上に銅箔からなる配線パターン及びレジスト膜を形成して構成されており、この上に電気部品が載置されて夫々の電気部品が電気的に接続されるものである。尚、図５は理解がしやすいように上述の電気部品を載置した側を示しているが、実際は図３にあるように、電気部品が下側になるように配置されるものである。
【００４９】
電力変換回路部１５とモータハウジング１１Ａの間には、電力変換回路部１５のスイッチング素子２５のスイッチング制御等を主たる機能とする制御回路部１６が配置されている。ＥＣＵハウジング１１Ｂには、モータハウジング１１Ａ側に向けて樹脂基板取付ボス２９が形成されており、この樹脂基板取付ボス２９に制御回路部１６の樹脂基板３１が取付けボルトで固定されている。
【００５０】
制御回路部１６は図６に示すように、合成樹脂等からなる樹脂基板３１上に、スイッチング素子２５等を制御するマイクロコンピュータ３２等が実装されている。尚、樹脂基板３１上には図３に示しているように、マイクロコンピュータ３２の周辺回路等の電気部品が配置されているが、図６ではこれらを省略している。
【００５１】
樹脂基板３１は電力変換回路部１５とは所定の距離を置いて配置されており、この間の空間に電力変換回路部１５の電気部品と制御回路部１６の電気部品が配置されるものである。そして、制御回路部１６と電力変換回路部１５とは上述したコネクタ端子２７Ａ〜２７Ｄによって接続されている。
【００５２】
図５に示すコネクタ端子２７Ａ〜２７Ｄは、樹脂基板３１と電力変換回路部１５の間の所定距離を超える長さを有している。そして、コネクタ端子２７Ａは樹脂基板３１の接続孔３３Ａに接続され、コネクタ端子２７Ｂは接続孔３３Ｂに接続され、コネクタ端子２７Ｃは接続孔３３Ｃに接続され、コネクタ端子２７Ｄは接続孔３３Ｄに接続されるようになっている。尚、制御基板３１に形成した接続孔３３Ｅは、後述する蓋体１２の絶縁領域部に埋設した信号伝送用及び低圧電源供給用の制御側コネクタ端子が接続されるものである。
【００５３】
このように、蓋体１２からモータハウジング１１Ａ側に向かって、電源回路部１４、放熱基体４６、電力変換回路部１５、及び制御回路部１６の順番で配置されている。このように電源回路部１４から距離を置いて制御回路部１６を配置することで、電源ノイズを除去した後に制御回路部１６に安定した電源を提供することができるようになる。
【００５４】
図３に戻って、各コネクタ端子と接続される配線部が埋設された蓋体１２は、ＥＣＵハウジング１１Ｂの開口を覆うものであり、図２に示すものと同じように、軸方向の外表面に電力供給用の端子形成部１２Ａ、検出センサ用の端子形成部１２Ｂ、制御状態を外部機器に送出する制御状態送出用の端子形成部１２Ｃを備えている。尚、端子形成部１２Ｂと端子形成部１２Ｃを一体に形成しても差し支えないものである。そして、これらの端子形成部１２Ａ〜１２Ｃを介して、図示しない電源から電源回路部１４へ電力が供給されている。同様に検出センサの信号等が制御回路部１６に入力されている。
【００５５】
次に蓋体１２の構成を説明すると、図７に示されている通り、蓋体１２は合成樹脂によって形成されており、この蓋体１２は配線端子組立体を兼ねており、内部に各種配線部とその配線端子を備えている。
【００５６】
まず第１に、外部電源（＝車載バッテリ）と接続された端子形成部１２Ａと電源回路部１４を接続する電力供給用の配線部である電源側配線部が蓋体１２に埋設され、先端の電源側配線端子３４が蓋体１２から露出している。この電源側配線端子３４は蓋体１２の側周面の内側に位置している。
【００５７】
電源側配線端子３４は、電源回路部１４の電源側コネクタ端子２２に接続されるもので、電源側配線端子３４をプレスフィット型の電源側コネクタ端子２２に挿入するだけで、簡単に接続が完了するものである。電源側配線端子３４はプレスフィット型の電源側コネクタ端子２２に挿入されて、金属基板１７を放熱基体４６に強く押し付ける機能を備えている。
【００５８】
次に、電源回路部１４と電力変換回路部１５を接続する電力供給用の配線部である高圧側配線部が蓋体１２に埋設されている。この高圧側配線部の両端は、高圧側配線端子３５とインバータ側配線端子３６として形成されて蓋体１２から露出している。一方の高圧側配線端子３５は電源回路部１４の高圧側コネクタ端子２３に接続され、他方のインバータ側配線端子３６は電力変換回路部１５のインバータ側コネクタ端子２８に接続されるものである。
【００５９】
高圧側配線端子３５は、電源回路部１４の高圧側コネクタ２３に接続されるもので、高圧側配線端子３５をプレスフィット型の高圧側コネクタ端子２３に挿入するだけで、ハンダを用いずに簡単に接続が完了するものである。この高圧側配線端子３５はプレスフィット型の高圧側コネクタ２３に挿入されて、金属基板１７を放熱基体４６に強く押し付ける機能を備えている。
【００６０】
また、インバータ側配線端子３６は、電力変換回路部１５のインバータ側コネクタ端子２８に接続されるもので、インバータ側配線端子３６とインバータ側コネクタ端子２８とをＴＩＧ溶接することで接続が完了するものである。
【００６１】
この高圧側配線部は、高圧側配線端子３５とインバータ側配線端子３６の間で、その断面形状がインバータ側配線端子の方が長い「コ」の字状になっている。この長い部分は蓋体１２を形成する合成樹脂に埋設されて高圧側絶縁領域部４１とされており、この高圧側絶縁領域部４１は、図８にあるように金属基板１７、１８及び放熱基体４６に形成した挿通部４３を挿通して、電力変換回路部１５まで延びている。更に、高圧側配線部を構成する高圧側絶縁領域部４１は金属基板１７、１８及び放熱基体４６の外周側と蓋体１２の側周面の内側の間に位置している。
【００６２】
次に、電源回路部１４と制御回路部１６を接続する電力供給用の配線部である低圧側配線部が蓋体１２に埋設されている。この低圧側配線部の両端は、低圧側配線端子３７と制御側配線端子３８として形成されて蓋体１２から露出している。一方の低圧側配線端子３７は電源回路部１４の低圧側コネクタ端子２４に接続され、他方の制御側配線端子３８は制御回路部１６の接続孔３３Ｅに接続される。
【００６３】
また、低圧側配線部に隣接して、検出センサ用のコネクタ端子形成部１２Ｂ、制御状態送出用のコネクタ端子形成部１２Ｃと接続された、信号伝送用の信号伝送配線部が蓋体１２に埋設され、制御側配線端子３９が蓋体１２から露出している。
【００６４】
低圧側配線端子３７は、電源回路部１４の低圧側コネクタ端子２４に接続されるもので、低圧側配線端子３７をソケット型の低圧側コネクタ端子２４に嵌合するだけで接続が完了するものである。また、制御側配線端子３８及び信号伝送用の制御側配線端子３９は、制御回路部１６の接続孔３３Ｅに接続されるもので、制御側配線端子３８、３９と接続孔３３Ｅとをハンダによって接合することで接続が完了するものである。
【００６５】
次に図８、図９を用いてＥＣＵハウジング１１Ｂに収納された電子制御組立体の構成の詳細について説明する。
【００６６】
図８は、図３に示すＡ−Ａ面から蓋体１２の方向を見た図であり、電力変換回路部１５の平面が示されている。電力変換回路部１５の詳細な構成は図５に示した通りであるので説明は省略する。尚、金属基板１８とＥＣＵハウジング１１Ｂの間には挿通部４０、４３が形成されている。
【００６７】
挿通部４０は金属基板１８の外周に形成した直線状の切欠きであり、この挿通部４０を通って低圧側絶縁領域部４２が制御回路部１６側まで延びてきている。このように直線状の「切欠き」としたのは、低圧側絶縁領域部４２を通る配線部の本数が多く、「切欠き」の面積を大きくして低圧側絶縁領域部４２を挿通させるためである。もちろん、金属基板１７及び放熱基体４６にも、挿通部４０と一致する挿通部が形成されていることは言うまでもない。
【００６８】
同様に、挿通部４３は金属基板１８の外周に形成した「切欠き」であり、この挿通部４３を通って上述した高圧側絶縁領域部４１が電力変換回路部１５側に延びてきている。もちろん金属基板１７及び放熱基体４６にも、金属基板１８に形成した挿通部４３と一致する挿通部が形成されていることは言うまでもない。
【００６９】
次に図８のＢ−Ｂ面から見た電動パワーステアリング装置の断面を図９に基づき説明するが、この図９においては電動モータ部分を省略している。
【００７０】
図９において、蓋体１２の内側底面部から制御回路部１６側に向かって合成樹脂からなる高圧側絶縁領域部４１が延びている。この高圧側絶縁領域部４１は金属基板１７の外周部に設けた挿通部４４及び金属基板１８の外周部に設けた挿通部４３及び放熱基体４６に設けた挿通部４７を挿通して電力変換回路部１５まで延びている。尚、金属基板１７、１８の挿通部４３、４４は金属基板１７、１８の外周面と蓋体１２の側周面の間に形成されており、放熱基体４６の挿通部４７は放熱基体４６の外周側の内部に形成した挿通孔である。
【００７１】
高圧側絶縁領域部４１の内部には高圧側配線部４５が埋設されており、この高圧側配線部４５の一方には高圧側配線端子３５が形成され、他方にはインバータ側配線端子３６が形成されている。このように高圧側絶縁領域部４１によって、高圧側配線部４５とそれぞれの金属基板１７、１８及び放熱基体４６の絶縁を確保している。
【００７２】
高圧側配線端子３５とインバータ側配線端子３６を含めた高圧側配線部４５は「コ」の字状に形成されており、電源回路部１４の高圧側コネクタ端子２３と電力変換回路部１５のインバータ側コネクタ端子２８が逆向きに設けられているので、これらを相互に接続することができるようにしている。
【００７３】
したがって、蓋体１２をＥＣＵハウジング１１Ｂに固定する場合は、高圧側配線端子３５をプレスフィット型の高圧側コネクタ端子２３に差し込むことで接続し、インバータ側配線端子３６をインバータ側コネクタ端子２８にＴＩＧ溶接することで接続することができる。尚、この時には制御回路部１６は設けられておらず、ＴＩＧ溶接用トーチをインバータ側配線端子３６とインバータ側コネクタ端子２８まで近づけることが容易にできるようになっている。
【００７４】
さて、インバータ側コネクタ端子付近の領域は、挿通部が位置するという理由等で、充分な実装面積が確保できなく、従来では「Ｌ」字状のコネクタ端子を使用していた。この「Ｌ」字状のインバータ側コネクタ端子は接着面が短く、載置した状態で載置安定性が悪いものである。このため、「リフロープロセス」でハンダ付けする場合は、ペースト状のハンダの粘着力だけでは自立させることは難しく、ハンダ付け行程でハンダが融けると、「Ｌ」字状のコネクタ端子が倒れる課題を生じる。
【００７５】
特に、インバータ側配線端子３６の平板部分とインバータ側コネクタ端子２８の平板状のコネクタ接合片が重ね合せて接合されるため、インバータ側コネクタ端子２８のコネクタ接合片は、インバータ側配線端子３６の平板部分に近接するように配置されている。このため、コネクタ接合片は、電力変換回路部１５の金属基板１８の端面を超えてインバータ側配線端子３６まで延びる構成となっている。したがって、コネクタ接合片に至る部分では、金属基板によって支えられていないため、容易にコネクタ端子が倒れる現象を生じる。
【００７６】
そこで、本実施形態では図１０〜図１３に示すようなインバータ側コネクタ端子を採用するものである。
【００７７】
図１０には、インバータ側配線端子３６と電力変換回路部１５のインバータ側コネクタ端子２８の接合部付近を示している。尚、図１０では理解しやすいように一方のインバータ側コネクタ端子２８の表示を省略している。
【００７８】
図１０にあるように、金属基板１８は、金属基体の上に絶縁膜が形成され、この絶縁膜状に配線パターン４９及びレジスト膜４８が形成され、更に配線パターン４９上に各種電気、電子部品が実装されるものである。そして、金属基板１８上には、電源側とグランド側に接続される２個のインバータ側コネクタ端子２８が載置されている。（図面では１個のインバータ側コネクタ端子２８は省略している。）このインバータ側コネクタ端子２８は、細長い金属平板を折り曲げ加工して断面が、図１２、図１３にあるように略「Ｕ」字状に形成されているものであり、折り曲げられた各面は平面状に形成されている。
【００７９】
図１０、図１１にあるように、インバータ側コネクタ端子２８は、金属基板１８の端面１８Ｅを超えてインバータ側配線端子３６と接合されるコネクタ接合片２８Ｃと、このコネクタ接合片２８Ｃと対面し、コネクタ接合片２８Ｃと釣り合いを保つようにしてインバータ側コネクタ端子２８を自立させるコネクタ釣り合い片２８Ｂと、コネクタ釣り合い片２８Ｂから連続して形成され、金属基板１８上の配線パターン４９に接続されるコネクタ接着片２８Ａと、コネクタ接着片２８Ａから連続して形成され、金属基板１８上のレジスト膜４８から離間するように、金属基板１８の端面１８Ｅを超えてコネクタ接合片２８Ｃに続くコネクタ離間片２８Ｄから構成されている。
【００８０】
図１０に示すように、金属基板１８の表面にはレジスト膜４８が形成されており、更に配線パターン４９がこのレジスト膜４８から露出している。配線パターン４９の上にはインバータ側コネクタ端子２８のコネクタ接着片２８Ａが載置されてハンダによって接着、固定されている。つまり、コネクタ接着片２８Ａを金属基板１８上の配線パターン４９（図１０，１１参照）に塗布されたペースト状のハンダに載置し、「リフロープロセス」によってインバータ側コネクタ端子２８を金属基板１８に接着、固定するようにしている。尚、コネクタ接着片２８Ａは平面状になっているので、自動マウンタ機構によってインバータ側コネクタ端子２８を配線パターン４９に載置する時の吸着面として使用することができる。
【００８１】
そして、インバータ側配線端子３６の平板部分とインバータ側コネクタ端子２８の平板状のコネクタ接合片２８Ｃが重ね合せて接合されるため、インバータ側コネクタ端子２８のコネクタ接合片２８Ｃは、インバータ側配線端子３６の平板部分に近接するように配置されている。このように、コネクタ接合片２８Ｃは、インバータ側配線端子３６の平板部分に近接して接続されるため、コネクタ接合片２８Ｃは、電力変換回路部１５の金属基板１８の端面１８Ｅを超えて長さｇだけインバータ側配線端子３６まで延びる構成となっている。
【００８２】
図１１にあるように、コネクタ接着片２８Ａを境にして、コネクタ接合片２８Ｃが、インバータ側配線端子３６の平板部分に近接するように配置される。したがって、これに対向するコネクタ釣り合い片２８Ｂに、以下に説明する折り返し部が形成されていないと、コネクタ釣り合い片２８Ｂの形成位置は、コネクタ接着片２８Ａから同等の距離を必要とするようになる。このため、インバータ側コネクタ端子２８のコネクタ接着片の長さが長くなって、金属基板１８での実装のための占有面積が大きくなってしまう問題がある。
【００８３】
そこで、本実施形態では、コネクタ釣り合い片２８Ｂには、金属製の細長い平板を折り返し領域点２８Ｂ-Ｔで折り返して、第１コネクタ釣り合い片２８Ｂ−１と、「折り返し部」である第２コネクタ釣り合い片２８Ｂ−２とを形成している。つまり、コネクタ釣り合い片２８Ｂに、第１コネクタ釣り合い片２８Ｂ−１に対して１８０°の関係で折り返した第２コネクタ釣り合い片２８Ｂ−２を形成し、コネクタ釣り合い片２８Ｂの重量を大きくするものである。尚、本実施形態では１回折り曲げとすることで重量を略２倍にしている。
【００８４】
したがって、コネクタ釣り合い片２８Ｂの重量が大きく（略２倍に）なり、コネクタ接着片２８Ａからコネクタ接合片２８Ｃまでの距離に対して、コネクタ釣り合い片２８Ｂまで短い距離（略1/２倍）で釣り合い効果を得ることができ、コネクタ端子２８のコネクタ接着片２８Ａの長さを短くして、金属基板１８への実装での占有面積を小さくすることができるようになる。
【００８５】
このように、本実施形態では、コネクタ接着片２８Ａの接着面４９を境にして、コネクタ接合片２８Ｃまでの距離と重量で決まるモーメントと、コネクタ釣り合い片２８Ｂまでの距離と重量で決まるモーメントを近づける（望ましくは略同一）ことができるので、コネクタ接着片２８Ａの長さを短くでき、実装面積が少なくてもコネクタ端子を自立させることができ、雇等の特別な治具を用いなくてもハンダ付けができるので生産性を高めることができるようになる。尚、「折り返し部」である第２コネクタ釣り合い片２８Ｂ−２の長さは、上述したモーメント釣り合いが取れる長さ（重量）に設定されている。
【００８６】
更に、本実施形態では、コネクタ接着片２８Ａとコネクタ接合片２８Ｃの間は、コネクタ離間片２８Ｄによって接続されている。このコネクタ離間片２８Ｄは、コネクタ接着片２８Ａからコネクタ接合片２８Ｃに向けて斜め上方向に延びており、金属基板１８の端面１８Ｅまでの間に存在するレジスト膜４８とは接触せず、レジスト膜４８から徐々に遠ざかる形状に形成されている。したがって、コネクタ離間片２８Ｄとレジスト膜４８の間には、断面が三角形状の離間空間Ｓａが形成されることになる。
【００８７】
このような構成によって、インバータ側コネクタ端子２８に高圧の電流が流れても、離間空間Ｓａが存在することによって、コネクタ離間片２８Ｄとレジスト膜４８の間の絶縁性が向上するので、レジスト膜４９が絶縁破壊することが抑制されるようになる。尚、コネクタ離間片２８Ｄは、斜め上方向に向けて伸びる形状とされて離間空間Ｓａが形成される構成とされているが、コネクタ接着片２８Ａから垂直に立ち上がり、コネクタ接合片２８Ｃに向けて横方向に延びる形状にしても離間空間Ｓａを形成することができる。
【００８８】
ここで、コネクタ接着片２８Ａの接着寸法は、従来の「Ｌ」字状のインバータ側コネクタ端子と実質的に同じ寸法に決められている。このため、実装面積が従来のままであっても充分実装できるものである。このように、図１２、図１３に示すような形状のコネクタ端子においては、コネクタ接合片２８Ｃと、第１コネクタ釣り合い片２８Ｂ−１及び「折り返し部」である第２コネクタ釣り合い片２８Ｂ−２を備えるコネクタ釣り合い片２８Ｂを形成しているため、載置安定性が優れており、コネクタ接着片の長さが短くても自立することが可能である。この場合、主にコネクタ接合片２８Ｃとコネクタ釣り合い片２８Ｂの総合的な重心の重力方向の延長線上に、コネクタ接着片２８Ａの接着面が位置する構成となっている。
【００８９】
そして、このコネクタ端子２８は、図１０にある通り金属基板１８の所定の配線パターン４９に載置されてハンダ付けされるものである。したがって、「リフロープロセス」でハンダ付けを行う場合において、インバータ側コネクタ端子２８は載置安定性が良く、ハンダ付け行程でハンダが融けても、インバータ側コネクタ端子２８が倒れることが無いものである。このため、特別な雇を用いてインバータ側コネクタ端子を自立させることが不要となり、生産性の向上が図れるようになる。
【００９０】
また、コネクタ接合片２８Ｃは、電力変換回路部１５の金属基板１８の端面１８Ｅを超えて長さ「ｇ」だけインバータ側配線端子３６まで延びる構成となっている。したがって、コネクタ接着片２８Ａを金属基板１８側に投影させた時、長さ「ｇ」だけ金属基板１８の端面１８Ｅから延びているため、コネクタ接合片２８Ｃに至る部分では、金属基板１８によって支えられていないため、容易にコネクタ端子が倒れる恐れがある。
【００９１】
これに対して、第１コネクタ釣り合い片２８Ｂ−１及び「折り返し部」である第２コネクタ釣り合い片２８Ｂ−２を備えるコネクタ釣り合い片２８Ｂを形成しているため、コネクタ釣り合い片２８Ｂの重量が大きく（略２倍に）なり、コネクタ端子２８が倒れる現象を抑制することができる。
【００９２】
また、本実施形態になるインバータ側コネクタ端子２８Ｎのコネクタ接着片２８Ａとコネクタ接合片２８Ｃの間は、コネクタ接着片２８Ａからみて上側に傾斜したコネクタ離間片２８Ｄが形成されている。このコネクタ離間片２８Ｄは、絶縁破壊を抑制する離間空間Ｓａを形成する機能の他に、コネクタ接合片２８Ｃに余分な荷重が作用すると、撓むことによって応力を緩衝する機能を併せ備えている。
【００９３】
つまり、このコネクタ離間片２８Ｄは、ＴＩＧ溶接した時の応力を緩和する機能を備えているものである。インバータ側コネクタ端子２８と高圧側配線端子３６とは重ね合せて先端がＴＩＧ溶接される。そして、溶接後に互いの端子間で応力が発生するが、このコネクタ離間片２８Ｄによって応力を緩和することができるようになる。
【００９４】
また、図１１、図１３から分かるように、コネクタ接合面２８Ｃの両側面には、側面から外側に張り出した突出部５０が形成され、これに合わせてインバータ側配線端子３６にも突出部５１が形成されている。図１１にあるように、コネクタ接合片２８Ｃとインバータ側配線端子３６の平板部分の先端はＴＩＧ溶接によって溶接部Ｗが形成されるが、この時の溶接によって生じる溶融金属が金属基板１８や高圧側配線部４５側に流れ落ちる恐れがある。このため、突出部５０、５１を形成して、溶融金属が流れ落ちるのを堰き止め、溶融金属が金属基板１８や高圧側配線部４５側に流れ落ちる抑制するようにしている。
【００９５】
また、コネクタ接合面２８Ｃの両側面には、側面から内側に凹んだ後退部５２が形成されている。ＴＩＧ溶接する時に、コネクタ接合片２８Ｃとインバータ側配線端子３６の平板部分を近接させる必要があるため、後退部５２を形成して変形し易くしている。また、溶接後に互いの端子間で応力が発生するが、この後退部５２によって応力を緩和することもできるようになる。
【００９６】
また、コネクタ接着片２８Ａの両側の中央付近には、側面から外側に張り出した突出部５３が形成されている。コネクタ接着片２８Ａは配線パターン４９にハンダ付けされるが、このハンダの状態（フィレットの状態等）を観察するため基板外観検査装置を使用する。そして、突出部５３付近のハンダの状態を観察することで、接着不良等の不具合を検査できるものである。
【００９７】
更に、コネクタ釣り合い片２８Ｂが新たに形成されることによって、金属基板１８からの熱を放散しやすくなり、結果的に電力変換回路（インバータ回路）の熱を放散することに寄与する効果がある。
【実施例２】
【００９８】
次に本発明の第２の実施形態について説明する。本実施形態では実施例１のコネクタ端子２８に設けていたコネクタ離間片２８Ｄを省略した点で、実施例１と異なっている。したがって、以下ではこの異なった部分についてその構成と作用、効果について説明する。
【００９９】
図１４、図１５において、インバータ側配線端子３６の平板部分とインバータ側コネクタ端子２８の平板状のコネクタ接合片２８ＣＮが重ね合せて接合されるため、インバータ側コネクタ端子２８のコネクタ接合片２８ＣＮは、インバータ側配線端子３６の平板部分に近接するように配置されている。このため、コネクタ接合片２８ＣＮは、電力変換回路部１５の金属基板１８の端面１８Ｅを超えて長さ「ｇ」だけインバータ側配線端子３６まで延びる構成となっている。したがって、コネクタ接着片２８ＡＮも長さ「ｇ」だけ金属基板１８の端面１８Ｅから延びているため、コネクタ接合片２８ＣＮに至る部分では、金属基板１８によって支えられていないため、容易にコネクタ端子が倒れる現象を生じる。
【０１００】
これに対して、本実施形態では、第１コネクタ釣り合い片２８Ｂ−１及び「折り返し部」である第２コネクタ釣り合い片２８Ｂ−２を備えるコネクタ釣り合い片２８Ｂを形成しているため、コネクタ釣り合い片２８Ｂの重量が大きく（略２倍に）なり、コネクタ端子２８が倒れる現象を抑制することができる。
【０１０１】
このように、本実施形態では、コネクタ接着片２８Ａの接着面４９を境にして、コネクタ接合片２８Ｃまでの距離と重量で決まるモーメントと、コネクタ釣り合い片２８Ｂまでの距離と重量で決まるモーメントを近づける（望ましくは略同一）ことができるので、コネクタ接合片２８ＣＮに至る部分で、金属基板１８によって支えられていなくても、コネクタ端子が倒れる現象を抑制することができる。
【０１０２】
尚、実施例１及び実施例２においては、電力変換回路部のインバータ側コネクタ端子について説明したが、これ以外のコネクタ端子、及び電源回路部のコネクタ端子についても適用できることはいうまでもない。
【０１０３】
以上述べた通り本発明によれば、コネクタ端子を、配線端子と接続されるコネクタ接続片と、このコネクタ接続片と対面し、コネクタ接続片と釣り合いを保ちコネクタ端子を自立させる折り返し部を有するコネクタ釣り合い片と、コネクタ接続片とコネクタ釣り合い片の間を結ぶコネクタ接着片から構成し、コネクタ接着片を基板に塗布されたペースト状のハンダに載置してコネクタ端子を基板に接着、固定する構成とした。
【０１０４】
これによれば、コネクタ釣り合い片に折り返し部を形成することで重量を重くしてコネクタ接続片との釣り合いを保つことができるので、コネクタ接着片を短くできる。これによって、実装面積が少なくてもコネクタ端子を自立させることができ、雇等の特別な治具を用いなくてもハンダ付けができるので生産性を高めることができるようになる。
【０１０５】
尚、本発明は上記した実施形態に限定されるものではなく、様々な変形例が含まれる。例えば、上記した実施形態は本発明を分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。また、各実施形態の構成の一部について、他の構成の追加・削除・置換をすることが可能である。
【符号の説明】
【０１０６】
６…電動パワーステアリング装置、１１Ａ…モータハウジング、１１Ｂ…ＥＣＵハウジング、１２…蓋体、１２Ａ〜１２Ｃ…コネクタ端子部、１４…電源回路部、１５…電力変換回路部、１６…制御回路部、１７、１８…金属基板、１９…コンデンサ、２０…コイル、２１…スイッチング素子、２２…電源側コネクタ端子、２３…高圧側コネクタ端子、２４…低圧側コネクタ端子、２５…スイッチング素子、２６Ｕ、２６Ｖ、２６Ｗ…出力コネクタ端子、２８…インバータ側コネクタ端子、２８Ａ…コネクタ接着片、２８Ｂ…コネクタ釣り合い片、２８Ｂ‐１…第１コネクタ釣り合い片、２８Ｂ‐２…第２コネクタ釣り合い片（折り返し部）、２８Ｃ…コネクタ接合片、２８Ｄ…コネクタ離間片、３４…電源側配線端子、３５…高圧側配線端子、３６…インバータ側配線端子、３７…低圧側配線端子、４１…高圧側絶縁領域部、４２…低圧側絶縁領域部、４３、４４、４７…挿通部、４５…高圧側配線部、４６…放熱基体、４８…レジスト膜、４９…配線パターン、５０、５１…突出部、５２…後退部、５３…突出部。
【図１】
2018061366.tif 000003
【図２】
2018061366.tif 000004
【図３】
2018061366.tif 000005
【図４】
2018061366.tif 000006
【図５】
2018061366.tif 000007
【図６】
2018061366.tif 000008
【図７】
2018061366.tif 000009
【図８】
2018061366.tif 000010
【図９】
2018061366.tif 000011
【図１０】
2018061366.tif 000012
【図１１】
2018061366.tif 000013
【図１２】
2018061366.tif 000014
【図１３】
2018061366.tif 000015
【図１４】
2018061366.tif 000016
【図１５】
2018061366.tif 000017